(57)【特許請求の範囲】
【請求項１】
キャリアインターフェースを備えるモーターの振動を減少させる方法であって、
防滑シートを有するキャリアインターフェースを備えた、軸を有するローターを提供する工程と、
前記軸に垂直な方向に沿って、防滑シートを研磨する工程と、
前記ローターを固定子に結合してモーターを形成する工程と、
からなることを特徴とする方法。
【請求項２】
前記研磨工程は、
前記ローターを第１回転方向に回転させ、第２回転方向に回転したポリッシャ−により、前記防滑シートを研磨することを特徴とする請求項１に記載の方法。
【請求項３】
前記防滑シートはゴム、シリコン、エポキシからなる群の中から選ばれることを特徴とする請求項１に記載の方法。
【請求項４】
前記ポリッシャ−は前記軸の軸方向に垂直な方向に沿って移動することを特徴とする請求項２に記載の方法。
【発明の詳細な説明】
【０００１】
【発明の属する技術分野】
本発明は、モーターの性能を改善する方法に関するもので、特にキャリアインターフェース（ｃａｒｒｉｅｒ  ｉｎｔｅｒｆａｃｅ）を備えるモーターの振動を減少させる方法に関するものである。
【０００２】
【従来の技術】
キャリアインターフェースは一般に、ＣＤプレーヤー、ＣＤ−ＲＯＭ又はハードディスクなどのアプリケーションに用いられている。図１Ａと図１Ｂで示されるように、キャリアインターフェースを備える公知のモーターは一般的に、モーター１０とキャリアインターフェース２０と、からなる。キャリアインターフェース２０はＣＤディスク（図示せず）のような記憶媒体をロードするのに用いられる。また、図１Ｂで示されるように、キャリアインターフェース２０は、軸３０により、モーター１０の固定子と結合されている。光学ヘッドのようなヘッドは、モーター１０及び軸３０により回転される記憶媒体に記録されたデータにアクセスすることができる。キャリアインターフェース２０は、図１Ａの斜線で示される防滑シート５０を更に備える。防滑シート５０は粗雑表面を備え、摩擦力を増加し、記憶媒体が滑らないようになっている。
【０００３】
しかし、公知技術では、キャリアインターフェース２０或いは防滑シート５０と軸３０が垂直でなく、防滑シート５０も充分に平坦化されていない。このため、モーター１０が回転する間、記憶媒体とヘッドの相対距離は一定を保つことが出来ない。その結果、所謂振動問題が生じて、記憶媒体へのアクセスに影響を与える。モーターの回転速度が上昇すれば、この問題も更に深刻になる。
【０００４】
公知技術の振動を解決する方法は図１Ｃで示される。キャリアインターフェースを備えるモーターは装置のベース６０に位置する。キャップ７０はキャリアインターフェース２０を被覆する。その後、キャリアインターフェース２０が回転する。それと同時に、プローブ８０がキャップ７０の表面の高さを検出し、キャリアインターフェース２０の高い地点及び低い地点が間接的に判断される。その後、キャリアインターフェース２０の形状の結果に基づいて、キャップ７０の高い地点は下に押されて、軸３０に対するキャリアインターフェース２０の垂直度を調整する。しかし、上述の方法は手作業で最終地誌に満たされるまで行われる。キャリアインターフェース２０は最小の高度差が少なくとも５０マイクロメーターある。残念ながら、上述の下に押す方法は、モーター構造、更には軸にもダメージを与えてしまう。この振動問題が効果的に解決されない場合、信号読み取りの精確度が更に要求されるため、ＤＶＤや高速ＣＤ−ＲＯＭなどのハイレベル記録装置に対する影響は大きい。
【０００５】
従って、軸の構造にダメージを与えない、効果的な方法でこの振動問題を解決しなければならない。
【０００６】
【発明が解決しようとする課題】
本発明は前述の振動問題を解決できる方法を提供することを主な目的とする。また、本発明はモーターの性能を改善する方法を提供することを全体的な目的とする。
【０００７】
【課題を解決するための手段】
始めに、ローターを提供する。公知技術の通り、ローターはマグネットリングと金属ケースとからなる。ローターは更に軸を備える。軸の一端はターンテーブルのようにキャリアインターフェースに結合されている。キャリアインターフェースは粗雑面を備える防滑シートを更に備え、摩擦力を増加して滑動を防いでいる。
【０００８】
その後、防滑シートを研磨する工程を施す。キャリアインターフェースは第１回転方向に回転する。例えば、固定子は固定され、適切な装置により回転される。その後、防滑シートは、第２回転方向に回転する、丸砥石のようなポリッシャーにより研磨される。さらに、研磨する間、ポリッシャ−は更に軸の軸方向に垂直に移動する。例えば、研磨の間、ポリッシャ−は防滑シートの外側から内側へ移動する。その結果、防滑シートの表面と軸との間の垂直度は研磨工程によって、顕著に増加する。振動問題はこれにより、解決される。
【０００９】
防滑シートが完全に研磨された後、組立て工程が実施される。軸のもう一端から、ローターは固定子と結合されて、キャリアインターフェースを備えるモーターを形成する。このように、キャリアインターフェースと軸との間で更に好ましい垂直度が得られる。即ち、本発明によって効果的に振動を抑制できる。
【００１０】
【発明の実施の形態】
上述した本発明の目的、特徴、及び長所をより一層明瞭にするため、以下に本発明の好ましい実施の形態を挙げ、図を参照にしながらさらに詳しく説明する。
【００１１】
キャリアインターフェースを備えるモーターの振動を減少させる方法が提供される。図２及び図３を参照すると、図３は本発明による工程２００、３００及び５００のフローチャートである。本方法は、まず、図３で示されるように、工程２００で、図２で示されるローター１１０が提供される。公知技術の通り、ローター１１０は、マグネットリングと、金属ケースとからなる。ローター１１０は軸１２０を更に備える。軸１２０の一端がターンテーブルのようにキャリアインターフェース１５０に結合される。キャリアインターフェース１５０は粗雑面を備える防滑シート１６０を更に備えて摩擦力を増加し、記憶媒体などをしっかり固定する。防滑シート１６０はゴム、シリコン、エポキシからなる群から選ばれたもので出来ている。
【００１２】
図２及び図３を引き続き参照する。研磨工程３００は防滑シート１６０に研磨を施す。工程３００は、工程３１０及び工程３２０を更に含む。工程３１０は、キャリアインターフェース１５０を第１回転方向に回転させる。例えば、図２で示されるように、ローター１１０は装置２００により固定されて、キャリアインターフェース１５０を回転させる。その後、工程３２０で、第２回転方向に回転するポリッシャ−２５０（例えば丸砥石）により、防滑シート１６０が研磨される。研磨の間、ポリッシャ−２５０は軸１２０の軸方向に更に垂直に移動する。例えば、研磨の間、ポリッシャ−２５０は防滑シートの外側から内側へ更に移動する。その結果、防滑シート１６０の表面と軸１２０との間の垂直度は研磨工程３００によって、顕著に増加する。振動問題はこれにより、解決される。
【００１３】
図２及び図３を引き続き参照すると、防滑シート１６０が完全に研磨された後、工程５００が施される。軸１２０のもう一端から、ローター１１０は固定子（図示せず）と結合されて、キャリアインターフェース１５０を備えるモーター１００を形成する。これにより、キャリアインターフェースと軸との間で更に好ましい垂直度が得られる。即ち、本発明によって効果的に振動を抑制できる。注目すべきことは、本発明によるキャリアインターフェースを備えるモーターは、高度差を５マイクロメーター以下に抑えることが出来ることで、公知のモーターと比較すると、公知のモーターは、５０マイクロメーターの範囲に抑えることしか出来ない。
【００１４】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【００１５】
【発明の効果】
キャリアインターフェースと軸との間で望ましい垂直度が得られ、効果的に振動を抑制する。
【図面の簡単な説明】
【図１Ａ】公知のキャリアインターフェースを示す図である。
【図１Ｂ】公知のキャリアインターフェースを備えるモーターを示す図である。
【図１Ｃ】公知の測量と振動を改善する方法と装置である。
【図２】本発明によるキャリアインターフェースを備えるモーターの図である。
【図３】本発明による工程を示すフローチャートである。
【符号の説明】
１００  モーター
１５０  キャリアインターフェース
１２０  軸
１６０  防滑シート
１１０  ローター
２００  装置
２５０  ポリッシャー
【図１Ａ】
0003579390.tif 000002
【図１Ｂ】
0003579390.tif 000003
【図１Ｃ】
0003579390.tif 000004
【図２】
0003579390.tif 000005
【図３】
0003579390.tif 000006